(57)【特許請求の範囲】
【請求項１】
対応する辺が短く他の対応する辺がそれより長くされた矩形状の和式就寝用品に就寝する者を外部から囲って地震等の災害から防護するためのパイプ製ガードフレームである災害安全装置であって、一対の下部のフレームと、同下部のフレームから立ち上がる４本からなる立ち上がり部、および同立ち上がり部間をつなぐ一対の上部のフレームからなり、前記下部のフレームは、就寝用品が設けられる設置面上における就寝用品の短い各辺外側に沿って平行状をなすとともに互いの関係も平行状に離間して配置され、前記立ち上がり部は、一対の下部のフレーム部分の長手方向各端部からそれぞれ下部曲がり部を介して一体的に立ち上がるとともに、同立ち上がり部のうち就寝用品の短い辺の長手方向に対応する各一対のものは、前記上部のフレームが就寝用品の上方に対面して位置するように上方へ向けてテーパー状に窄まる内倒れ状態となるように傾斜状とされ、前記上部のフレームは、４本の立ち上がり部のうち就寝用品の長い辺がなす長手方向に対応する各一対を立ち上がり部の上端同士をそれぞれ上部曲がり部を介して前記立ち上がり部と共にコの字状をなすように一体的につなぐフレーム部分であって就寝用品の長い辺に平行状で互いの関係も平行状をなすように配されているとともに、同上部のフレームの底面高さは、就寝する者の座高と和式就寝用品の敷布団の厚みを合計した高さを超える程度の高さとされていることを特徴とする災害安全装置。
【請求項２】
請求項１に記載の災害安全装置において、上部の両フレーム間は、就寝する者を上方からガードすべく横架材でつながれていることを特徴とする災害安全装置。
【請求項３】
請求項１に記載の災害安全装置において、上部のフレームは、互いに近接して合わせ式とされている災害安全装置。
【請求項４】
請求項３に記載の災害安全装置において、上部のフレーム間は結合されている災害安全装置。
【請求項５】
請求項１から４までのいずれかに記載の災害安全装置において、下部のフレームおよび／または上部のフレームのフレーム中間位置は分離式とされ、この分離間は、挿通式の結合ロッドと止着具により分解・組立可能になっている災害安全装置。
【発明の詳細な説明】
【０００１】
【発明の属する技術分野】
この発明は、畳上やフロア上等に敷かれた布団で就寝する者等を対象にして避難するものを効果的に防護するためのガードフレーム式の災害安全装置に関する。
【０００２】
【従来の技術】
地震や水害、龍巻などの災害は突然襲ってくるもので、特に就寝中に地震などが発生すると即座に対応できないこともあって被害が大きくなる。その対策として、太いパイプを曲げたりしてガードフレームを形成し、同ガードフレームで家屋倒壊などの非常事態に対処しようとしたものがある。
【０００３】
【発明が解決しようとする課題】
ところで、これまでのガードフレームは、１本の長いパイプを適宜に曲げてこれらの大きなフレーム体でもって全体を構成していたため、運搬・設置に不向きであった。
【０００４】
この発明は前記課題を解決するためになされたもので、運搬や設置が簡易に迅速に行えるとともに強度的にも充分なものにした災害安全装置を提供することを目的とする。
【０００５】
【課題を解決するための手段】
前記課題を解決するため、請求項１に記載の発明は、対応する辺が短く他の対応する辺がそれより長くされた矩形状の和式就寝用品に就寝する者を外部から囲って地震等の災害から防護するためのパイプ製ガードフレームである災害安全装置であって、一対の下部のフレームと、同下部のフレームから立ち上がる４本からなる立ち上がり部、および同立ち上がり部間をつなぐ一対の上部のフレームからなり、前記下部のフレームは、就寝用品が設けられる設置面上における就寝用品の短い各辺外側に沿って平行状をなすとともに互いの関係も平行状に離間して配置され、前記立ち上がり部は、一対の下部のフレーム部分の長手方向各端部からそれぞれ下部曲がり部を介して一体的に立ち上がるとともに、同立ち上がり部のうち就寝用品の短い辺の長手方向に対応する各一対のものは、前記上部のフレームが就寝用品の上方に対面して位置するように上方へ向けてテーパー状に窄まる内倒れ状態となるように傾斜状とされ、前記上部のフレームは、４本の立ち上がり部のうち就寝用品の長い辺がなす長手方向に対応する各一対を立ち上がり部の上端同士をそれぞれ上部曲がり部を介して前記立ち上がり部と共にコの字状をなすように一体的につなぐフレーム部分であって就寝用品の長い辺に平行状で互いの関係も平行状をなすように配されているとともに、同上部のフレームの底面高さは、就寝する者の座高と和式就寝用品の敷布団の厚みを合計した高さを超える程度の高さとされていることを特徴とする。
【０００６】
請求項２に記載の発明は、請求項１に記載の災害安全装置において、上部の両フレーム間は、就寝する者を上方からガードすべく横架材でつながれていることを特徴とする。
【０００７】
請求項３に記載の発明は、請求項１に記載の災害安全装置において、上部のフレームは、互いに近接して合わせ式とされている。
【０００８】
請求項４に記載の発明は、請求項３に記載の災害安全装置において、上部のフレーム間は結合されている。
【０００９】
請求項５に記載の発明は、請求項１から４までのいずれかに記載の災害安全装置において、下部のフレームおよび／または上部のフレームのフレーム中間位置は分離式とされ、この分離間は、挿通式の結合ロッドと止着具により分解・組立可能になっている。
【００１０】
【発明の実施の態様】
以下、図示した実施形態を参照してこの発明を詳細に説明する。
【００１１】
図１は、この発明の好適な一実施形態を示すもので、畳あるいは板間等の床面１上には、シングルサイズの敷布団２（和式就寝用品）が敷設され、同敷布団２上には枕３に頭を据え掛布団４等が掛けられて就寝している。
【００１２】
尚、敷布団（就寝用品）２は、対応する辺が短く他の対応する辺がそれより長くされた矩形状をなす。
【００１３】
Ｇはガードフレームで、同ガードフレームＧは、ステンレスや鋼鉄パイプ等を使用した４本のフレーム構成部材６…等からなっている。これらのフレーム構成部材６…は、連結部分が多少異なるだけで相互に同一あるいは対称なパイプでなっている。各フレーム構成部材６は、水平な下部７と、下部曲がり部８を介して垂直に立ち上がる立ち上がり部９と、上部曲がり部１０を介して水平に延びる上部１１からなっている。これらで構成されるガードフレームＧは、上部１１の底面の高さが、就寝する者の座高の高さより少し高い程度の低目に設定されている。これは、敷布団２の上に座った状態で出入りする際に頭を打たないようにする趣旨で、座高と敷布団２の厚みを合計したものより上部１１の底面の高さが高くなるように設定されている。
【００１４】
就寝する人の頭の側を前として説明すれば、ガードフレームＧは、フレーム構成部材６…をそれぞれ個別に運搬してきて現場において組み立てるのであるが、例えば、前側の一対、後側の一対をそれぞれ組み立てておいたものを搬入してこれらを現場で組み立てるようにしたり、左側の一対、右側の一対を予め組み立てておいて搬入し現場でこれらを結合するようにしてもよい。その他、全てのフレーム構成部材６…を個別にした状態で搬入して現場で全てを組み立てるようにすることもある。
【００１５】
最後に述べた、全て個別で搬入する方式による場合、前側１対、後側１対を先に組み立てそのあとでこれらを相互結合するか、左側１対、右側１対を先に組み立てそのあとでこれらを相互結合する方法をとる。
【００１６】
これらの結合構造について説明する。左右の結合は、一方のフレーム構成部材６の端部に溶接あるいは圧入などにより結合ロッド（パイプでもよい）１３を挿入固着して突出状に備えておき、同ロッド１３の突出部に他方のフレーム構成部材６の端部パイプ部分を嵌め込むようにして止着具１４にて固着する。ロッド１３には止着具１４のためのネジ孔を明けたり、挿通孔を明けたりする他、止着具１４がロッド１３を押し止めるように構成してもよい。
【００１７】
上部の結合は、一方のフレーム構成部材６と他方のフレーム構成部材６間に結合ロッド（パイプでもよい）１５を挿通して止着具１４で前記いずれかの方法で固着する。尚、上部の結合ロッド１５は長く形成して衝撃に強く対抗するようにしてあるが、短くてもよい。また、ガードフレームＧのパイプ外周には、図２に仮想線で示すように、木目等を付した外装チューブ１７を被覆することがある。この場合、ゴムなどの弾性質のものが適切である。さらに、前記フレーム構成部材６は、ターンバックル方式で相互を結合するようにしてもよく、この場合、内部のターンバックル軸を回転操作するためのロッドが有るものと無いものがあるが、有る場合には、同操作ロッドの左右のものを利用して横架材を掛け渡してもよい。また、前記実施形態では、上下で結合方法が多少異なるが、上・下のいずれかの一方の方式でまとめてもよい。さらに、前記実施形態では、フレーム構成部材６が４分割になっていたが、左右分割のみあるいは、前後分割のみでもよい。また、前記実施形態では、左右のフレームが垂直状であったが、図１に仮想線で示すように、内向きに６０度あるいは４５度のように傾斜させてもよい。この場合、相互のフレームを上端において合わせ式にしてそのままあるいは結合することがある。前記結合部分は長さ調節可能にもすることがある。さらに、図１に仮想線で示すように、ガードフレームＧの左右間あるいは前後間には、横架材１６をカバー（連鎖状あるいは膜シート状）として及び耐補強材として横架することがある。同横架材１６は、矢印のように移動可能にすることもできる。この横架材１６により、例えば、外圧がガードフレームＧに作用した場合により抵抗力を発揮するとともに瓦礫や土ぼこりなどをも遮ることができるようになる。同横架材１６は、リコイルタイプで巻き戻すことができるようにしてもよい。前記ガードフレームＧの底面には、安定化の向上のため、面積のやや広い基盤を備え付けることがある。以上のことは、これから後述する全ての実施形態において個別的にあるいは適宜の組み合わせで適用することができる。尚、前記実施形態では、左右にフレーム体が設けられていたが、就寝する者の上を通過するような単一本のフレーム体からなるものでもよい。この場合、前後を分離式にする場合と一体式にする場合とがある。
【００１８】
図２は、ガードフレームＧの上部１１に緩衝材１８を設置後に装着可能なものとして設けたものを示している。この緩衝材１８は、ゴム製（ウレタン樹脂、シリコンゴムなどでもよい）であるが、その他、緩衝になる全ての材質および構造のものを含む。緩衝材１８は、一側に装着するための口が形成されて弾性変形で装着できるようになっているが、フレーム構成部材６に沿って予め嵌め込む完全筒状のものにしてもよい。尚、同緩衝材１８の形状は、角筒上、玉形その他のものでもよく、また、図示のものより長いものでもよい。この緩衝材１８は、ガードフレームＧにスライドしやすくするため、内周にナイロン等のプラスチック筒のスライダーを備えることができる。また、ガードフレームＧの底面にも緩衝材を介装してもよい。この場合の緩衝材は、図２に仮想線で示すように、緩衝材１８の左右間を継ぐ継ぎ材１９を設けてもよい。この継ぎ材１９は、ゴムや金属、プラスチックなどで形成される。このように全ての材質を採用することは他の実施形態でも全て適用される。同継ぎ材１９は複数本並列に設けることがあり、この場合、継ぎ材１９…間をカバーで継ぐようにすることもある。
【００１９】
図３は、ガードフレームＧの上部１１の内側に沿ってガイドレール２１を設け、同ガイドレール２１を長孔付コの字型鋼やＬ型チャンネル鋼の１対で構成して、この中に沿って補強を兼ねる横架材２２の一端のローラー２３を転動自在にしてもよい。このようにすれば、外圧がいかなる方向に作用しても抵抗する。尚、ローラー２３の外周部にゴム等の緩衝材を備え付けることもできる。
【００２０】
図４は、ガードフレームＧの幅を自在に選択できるようにした実施形態を示す。同ガードフレームＧのフレーム構成部材２５は、図１のものより下部２６が短く形成され、その間に、両端に接続軸２７を備えた中間パイプ２８を止着具１４により止め付けるようにしたものである。接続軸２７がフレーム構成部材２５側に設けられていてもよい。そして、図示実線のパイプ２８は中間長さのものであるが、必要に応じて仮想線のように長いものや短いものを接続することが可能である。尚、仮想線のように、防音カバー２９を被せるようにしてもよい。このカバー２９は、他の実施形態でも適用することがある。
【００２１】
図５は、接続軸２７を別体にしてフレーム構成部材２５と中間パイプ２８との間に差し込んで止着具で連結するようにしたものである。
【００２２】
図６は、図１の実施形態を裏返して使用するようにしたガードフレームＧについてのものである。同ガードフレームＧも４分割されており、設置現場で組み立て可能になっている。３１はフレーム構成部材、３２は下部、３３は立ち上がり部、３４は上部であり、３５は接続部である。仮想線のように、立ち上がり部３３の外周に補強パイプ３６を備えたり、下部３２間に横架材３７を掛け渡したり、下部３２上にアーチ部３８を備えてガードするようにすることもある。
【００２３】
図７は図１の他の実施形態を示す。４０は第１基板、４１は第２基板で、これらは相互に移動調節可能に差し込まれ、止着具１４で固定できるようになっている。これら各基板４０，４１の前後間には、フレーム構成部材４３が接続部４４を介して立設されている。ガードフレームＧは、左右にフレーム構成部材４３，４３を備えたもので、前記両基板４０，４１上にはカバー４５が被せられるとともに、底面には緩衝材４６が介装されている。尚、基板４０の底面を介して収納ボックス４７を備えてもよい。
【００２４】
図８は、基板５０上に、半筒状あるいは丸筒状をした支持部５１を固着しておき、同支持部５１間を連結板５２で一体に連結し、同支持部５１にガードフレームＧの脚を差し込むようにしたものである。
【００２５】
図９は、ガードフレームＧの上部５５の内側にガイドレール５６を固着し、同レール５６に沿って横架材５７の端のコの字形スライダー５８を摺動可能にしたもので、スライダー５８の内面にはナイロン等の滑り材５９を備えてある。６０はカバーである。尚、横架材５７等の上面を利用してベッドやテーブルにすることもでき、下方で横たわる人が脚を持ち上げて運動をしたりすることもできる。
【００２６】
図１０は、カバー状の横架材６２の両端にリング６３を備え、同リング６３がガードフレームＧに沿って移動自在にされた実施形態を示す。リング６３の外周に転がり用の短いパイプを複数個遊転自在に備えてもよい。
【００２７】
図１１から図１３は、ガードフレームＧの接続方法についての各種のものを示す。図１１は、パイプ６５の相互間内部に連結軸６６を挿通するとともに、外部パイプ６７で連結部分を接続したものである。外部パイプ６７はパイプ６５の一方に固着されている。尚、仮想線のように連結軸６６を充分長くして強度が充分になるようにしてもよい。連結軸６６の外周面は、端部にゆくに従って極く緩やかな角度のテーパー面にしてもよい。これは衝撃を緩和するためである。止着具は備えても備えなくともいずれでもよい。
【００２８】
図１２は、連結軸６６を介してパイプ６５を接続したものにおいて、これらの外周に設けられる外部パイプ６７を充分長いものにして強度のある構造にしたものである。図１３は、連結軸を省略したものである。この実施形態では、連結軸がないので、応力が集中しない利点もある。図１２および図１３の場合、止着具を備えることも備えないこともある。
【００２９】
図１４は、フレーム構成部材７０をコの字形鋼に長孔を設けたりＬ形鋼を上下に合わせて形成し、同フレーム構成部材７０の開口７１を通じて横架材７２を通しローラー７３をフレーム構成部材７０自体に沿って転動操作できるようにしたものである。横架材７２が抵抗材として有効に機能するとともに横架材７２がカバーなどである場合軽く移動操作することができる。
【００３０】
図１５は、広い座盤７５の４隅を介して左右一対のコの字形フレーム構成部材７６，７６を立設してガードフレームＧを構成したもので、この場合もガードフレームＧは低目に設定され、例えば、フレーム構成部材７６を長さ調節可能に分割式に接続したり、高さ調節可能にもすることができる。また、横架材７７は矢印のようにガイドレールに沿って待避させたり上方を覆うように移動自在にすることができる。この横架材７７も対強度メンバーにすることができる。また、緩衝材を適宜に配す。フレーム構成部材７６はアーチ状にすることもできる。フレーム構成部材７６の脚部に差し込み筒を備えてもよい。
【００３１】
図１９から図３２は、複数個の基合８０…に複数本のパイプ（あるいはロッド）８１…を差し込み式にして設置現場でガードフレームＧを簡易・迅速に構成することができるとともに倒壊などの外圧にも充分な対抗性能を発揮する各種実施形態を示す。
【００３２】
図１９に示す実施形態は、自然な丸太（例えば、２０センチ〜４０センチ：但しこれに限定されない）を１ｍ前後の長さに切断したものを４個（個数は限定されず３個以下でも５個以上でもよい）を用い、これらを基台８０…として矩形平面の４隅に対応して配し、これらの基台８０…に適宜の通孔８２…を形成しておいて、これらの孔８２…を通じて１対の長いパイプ８１と１対のやや短いパイプ８１を差し込んで矩形枠状を形成するようにする。基台８０は金属筒やプラスチック等でもよい。
【００３３】
１つの基台８０には、上下に段差をもって交差状をなすように前記通孔８２が明けられている。その他の個所に孔を形成しておいてもよい。前記長いパイプ８１は短いパイプ８１よりも通常は上位に配置されているが、逆の関係でもよく、さらに、差し込み方によっては同じ高さにしてもよい。パイプ８１は、止着具１４で固定したり、止めパイプ８３で固定してもよい。パイプ８１を孔にねじ込んたり接着固着してもよい。
【００３４】
尚、基台８０は、これを水平に転がす向きにしてもよく、仮想線で示す四角柱状や三角柱状（截頭円錐形も含む）、台形など他の幾何学形状に更に加工してもよい。また、同基台８０は筒状にしてもよい。この場合、蓋８４を付すか否かは別にしてその内部に防災用品や防災用具を収納可能にしてもよい。さらに、通孔は基台８０の上端に溝状に形成して、その孔に沿ってパイプ８１の端部を当てがい、上盤で押さえ付けて固定したり他の止着具で固定するようにしてもよい。この溝は基台８０の外周面に水平向きに形成してもよい。また、基台８０は、例えば、３個にし、これらの間に前記のようにパイプ８１を通じる一方、前記３個の基台８０のうちのあるものを支持に利用して脚付でＬ形に曲がったパイプの反脚側の一端を支持し脚の方を延びた方向に立脚するようにしてもよい。すなわち、ストレートなパイプとＬ形のパイプを組み合わせて構成することもできる。さらに、図１９に仮想線で示すように、基台８０の上に更に支柱８５を一体あるいは別体挿入式で立設し、この支柱８５を家屋側（例えば、柱等）に連結するようにしてもよい。また、基台８０としては、仮想線のように、たこ足のように複数本の脚８６を備えたものに支持部を備えて同支持部にパイプを挿通支持するようにしてもよい。さらに、パイプ８１には、緩衝材８７を備えてもよい。この場合の緩衝材８７は、図示のように玉形の複数個である場合と、長いものであることがある。また、図１９の仮想線のように、基台８０の下端を半球状にしてもよい。半球状にするか否かは別にして、基台８０は、上下に分け、上部を木質や金属などで形成し、下部がゴム等の緩衝材にすることがある。これと逆に上部が緩衝材であることもある。また、金属や木質の上下間に緩衝材を挟んだり、上下が緩衝材でその中間に金属や木質のものを配したり、あるいは、全体が緩衝材のこともある。さらには、緩衝材を上下間に数段挟んで構成してもよい。また、通孔８２とパイプ８１との間に緩衝材を介装してもよい。この場合、前記基台の各種構成方法を組み合わせることができる。基台８０の頭部は丸形でもよい。さらに、前記パイプは伸縮調節自在にしてもよい。基台８０を木質にする場合、同基台８０を渋柿の汁に浸漬したものにすることがある。強度増大のためである。
【００３５】
図２０は、基台９０に角形の通孔９１を形成し、これに回転不能なように角パイプ９２を挿通することもある。この場合、パイプの端部挿通部分のみを角形にし他の部分を仮想線のように丸パイプにしてもよい。いずれにしても外装パイプ９３を備えるが、同外装パイプ９３は緩衝材を兼ねるようにしてもよい。
【００３６】
同じく図２１は通孔９５の向きを４５゜回したものにして基台９６とし、これに角パイプ９７を挿通固定するようにしたものである。この場合も緩衝材を兼ねた外装９８を備える。図２０、図２１の角とはその他の多角形を含む。
【００３７】
また、図２２に示すように、楕円あるいは長円形状の通孔１００を備えた基台１０１に、対応した断面のパイプ１０２を挿通するようにして相互結合してもよい。尚、図１９から図２２、その他の実施形態において、パイプ１０２の基部には取付フランジ１０３を備えて止着具１４で基台１０１に固定するようにしてもよい。基台１０１やパイプ１０２内には、水等の液体ａや土砂、粉粒状物ａを充填したり、タイヤチップやペットボトルなどの産業廃棄物ａを充填してもよい。
【００３８】
図２３は、金属製の基台１０５で、同基台１０５が基板１０６とスタンド１０７と挿支台１０８とからなる実施形態を示している。この場合、挿支台１０８がボックス型でその２面には四角な通孔１０９が明けられてＨ形鋼でなるフレーム構成部材１１０が挿通支持されている。尚、基台１０５は上下にストレートなもの、あるいは下部が太い径になったものなどでもよい。同図に仮想線で示すように、挿支台１０８に受筒１１１を備えて、これにフレーム構成部材１１０を挿通させてもよい。また、仮想線１１２はフレーム構成部材１１０に装着される緩衝材で、楕円形や円筒形のものなどである。さらに、前記では金属製としたが、木質やプラスチック製のものでもよい。
【００３９】
図２４および図２５は、金属やプラスチックなどによる基台１１５についての他の実施形態を示す。同基台１１５は、基板１１６と垂直な補強リブ１１７付スタンド１１８および挿通筒１１９からなっている。スタンド１１８は、２段階に曲がる横断面をしていてその内面上部に２個の挿通筒１１９が水平向きに固定されている。これら挿通筒１１９にパイプ１２０が挿通支持されている。挿通筒１１９の互いの高さをずらせてパイプ１２０を基台１１５に移動調節自在にしてもよい。尚、仮想線で示すように、木質あるいは金属質である基台１２２を、丸形の原形から４５゜分削除した形にしてこれに止着具（Ｕ字ボルトなど）や挿通筒などを使用してパイプ１２０を挿通固定する方法をとってもよい。
【００４０】
図２６は、Ｌ形チャンネル鋼により基台１２５に通孔１２６を形成してパイプ１２７を挿通支持するようにした実施形態を示す。通孔１２６は互いに同じ高さでもよく、また基台１２５に筒体を溶接してそれにパイプ１２７を挿通するようにしてもよい。基台１２５の向きは溝が内向きになるようにしてもよい。また、同基台１２５には、外装を兼ねる緩衝材を嵌め付ける。基台１２５には、四角筒や丸筒その他のチャンネル材などを適宜使用可能である。
【００４１】
図２７および図２８は、木質や金属質等による基台１３０を数個用意し、これらの基台１３０間をパイプ１３１で連結したものにおいて、基台１３０の細い首部１３２回りに回転するように補助パイプ１３３を備えるとともに同パイプ１３３の先端に補助基台１３４を備えてなるものである。従って、補助基台１３４付パイプ１３３を展開・折り畳みすることにより、Ｌ形のガードフレームよりもより確実な防護機能を発揮する別のガードフレームを構成することができるものである。折り畳めばコンパクトに収まるガードフレームになる。尚、前記実施形態では、２辺が固定的で他が展開自在になっていたが、全体が展開自在に構成してもよい。
【００４２】
図２９および図３０は、パイプ１３６の端部をＬ形に曲げてその端部を基台１３７の上端から差し込むようにしたものである。パイプ１３６は基台１３７に回転自在にしておけば前記展開式も可能である。尚、この場合、図示のようにパイプ１３６の他端はフリーにしたり、基台１３７に差し込み式にすることもできる。基台１３７は木質や金属等による。また、パイプ１３６の先端や外周に相応して緩衝材を介装することができる。基台１３７には補助孔１３８を形成しておいてもよい。
【００４３】
図３１は、木材や金属等適宜なものを使用して角太形の基台１４０を作製し、これに角孔１４１を形成しておいてパイプ１４２を差し込むようにするとともに、同パイプ１４２上にレスト板１４３を備え付けておくことでベンチを構成することができるようにしたものである。勿論、このベンチは災害安全装置でもある。このベンチを連設することもできる。尚、基台１４０をそのまま利用してその中に防災用具や防災用品を収納可能にすることができる。この基台１４０は、アンカー１４４を備えて安定にしてもよい。また、この装置を家屋内の災害安全装置としても使用することができる。パイプ１４２無しでレスト板１４３を挿通するようにしてもよい。この場合、レスト板１４３を縦向きや斜め向きにして災害安全装置にすることがある。
【００４４】
図３２は、コの字形に曲げたパイプでなるフレーム構成部材１４７を左右両側に備えるに当たって基板１４８上に挿通筒１４９を備えたものに挿通支持するもので、特に、挿通筒１４９の一方のものが２本配されているので、矢印のように非使用時にコンパクトに収めることができる。併設した挿通筒１４９は溶接一体化してもよい。
【００４５】
図３３は、座板１５１上にＬ形フレーム構成部材１５２の一対を立設したものを対向配置してその間を接続パイプ１５３で継いだもので、仮想線のように外パイプ１５４で接続してもよいものにおいて、仮想線のように左右間を横架材１５５で継いだもので、このようにすると、横架材１５５を利用して首伸長運動や脚載せ運動などの健康増進に利用可能なものである。尚、１５６は防音や防火等の機能をもち衣服掛けも兼用する楯である。座板１５１の延長により同時に立て付けられる。この楯１５６にも災害安全機能を持たせることができる。
【００４６】
図３４は、座板１６０がＬ形をなし、同座板１６０上に３本等の複数本の支柱１６１…とこれらを継ぐパイプ１６２…が連設されるとともに、これらに離れた４辺の１頂点に対応して起倒自在な補助支柱１６３を備えたものである。尚、座板１６０は、仮想線のように伸縮自在にしてもよい。
【００４７】
図３５は、座板１６５上の中央に支柱１６６を立設したものを左右１対離間して配置し、これらの上端間に自動巻き戻し可能なテント巻取装置１６７を上下２段階に配し、さらに、座板１６５の各端部には、テント１６８の先端のフック１６９を引っ掛ける係合突起１７０を備えてなる。矢印のようにテント１６８を個別の巻取装置１６７から繰り出してフック１６９を係合突起１７０に引っ掛けることでテントを張ることができ、引っ掛けを外すことで自動的にテント１６８が収まる簡易なものになっている。尚、支柱１６６は座板１６５に折り畳み可能にすることもある。
【００４８】
図３６は、コの字形をしたフレーム構成部材１７２を複数本並列に配し、これらを止着具１７３により机１７４に連結支持させたものである。１７５は横架材である。フレーム構成部材１７２は３本以外にさらに本数を増やすことがある。
【００４９】
図３７は、フレーム構成部材１７７を座板１７８で連結したものを家屋の柱（２階まで１本通しのもの、それ以外のものを含む）１７９に連結材１８０を介して連結したものである。図３６、図３７の他にガイドフレームを敷居や鴨居などに連結支持してもよい。
【００５０】
図３８は、ベッド等の寝台１８２に左右一対のフレーム構成部材１８３を立設したもので、この寝台１８２に老人等の介護用の開閉蓋１８４を備えてこれを開くことで排泄用に使えるようにしたものである。
【００５１】
図３９は、リハビリ等に使用される装置についてのもので、前後に斜面１８６を備えた歩み台１８７に左右一対のフレーム構成部材１８８を立設するとともにその間の歩み面に履帯運動をするコンベア１８９を備えてフレーム構成部材１８８を掴みながらコンベア１８９上で歩み運動をすることができるようにされ、しかも、フレーム構成部材１８８に連結具１９０を介して鉄棒１９１を備えたものである。歩み台１８７上に下敷と寝具を敷いて就寝可能にしてもよい。
【００５２】
図４０は、寝台１９３に左右一対のフレーム構成部材１９４を立設したもので、同寝台１９３には炭、脱臭剤、防災用品、非常食料品などを適宜に収納しておくように構成してある。１９５がその引き出しである。尚、フレーム構成部材１９４には、家屋あるいは家具の倒壊による外圧を緩和するための移動調節自在な緩衝材１９６を備えてある。
【００５３】
図４１は、他の全ての実施形態でも採用できるものであるが、フレーム構成部材１９８の脚部を座板１９９上の挿通筒２００内に差し込むようにしたものにおいて、フレーム構成部材１９８の下端には、一方に開放するスリット２０１を形成しておき、挿通筒２００に通された止着具２０２にこのスリット２０１を差し込み、さらに止着具２０２を締め付けることで相互の固定がなされる。尚、上下調節可能にもする。また、挿通筒２００内には緩衝材２０３を備えることもある。
【００５４】
図４２は、座板２０５で支持した左右一対のフレーム構成部材２０６上に移動自在な横架材２０７…を備えたものにおいて、同横架材２０７の端部を、図４３に示すように、フレーム構成部材２０６の外周に巻き込むような形状にしたものである。
【００５５】
図４４は、低いフレーム構成部材２１０を架台２１１の左右に立設してガードフレームを構成したものにおいて、特に介護に配慮をした装置に関する。架台２１１の上板２１２には、ヒンジ２１３を介して上下運動可能に起倒フレーム２１４を備え、同起倒フレーム２１４からはレバー２１５が突出しており、同レバー２１５がエアー駆動装置２１６が作動するようになっている。同装置２１６が作動すると、起倒フレーム２１４が水平から垂直まで起立し、被介護人を自動的に起こすことができる。他の実施形態として、フレーム構成部材２１０から補助フレーム２１８を高く立設し、同補助フレーム２１８にモーター２１９により駆動されるホイール２２０を回転駆動し、他のホイール２２１を介して起倒フレーム２１４を起倒させる。被介護人の腰を上下させ得る装置として、上板２１２には、昇降台２２３がガイドレール２２４に沿ってローラー２２５で上下し得るようにされ、これを昇降駆動装置２２６により上下させるようになっている。これにより自動で起立させ得るようになる。
【００５６】
尚、前記では就寝用として主にガードフレームを構成してきたが、単なる避難空間を提供するものとして、あるいは避難および就寝用として兼用するものとして構成することもある。
【００５７】
図４５に示す付加的な実施形態は、下部に本管３００が連通状に接続されたマンホール本体３０１の上に蓋受３０２を備えるとともに、同蓋受３０２にマンホール蓋３０３を開閉可能に嵌挿したものについてのものである。マンホール本体３０１は、本管３００の離間した個所に複数本配列されている。また、マンホール蓋３０３には、通気孔３０４が明けられている。
【００５８】
ここにおいて、前記本管３００およびマンホール本体３０１はコンクリート製であり、同管内には、硫化水素などの有害ガスが発生するため、同コンクリートは次第に浸食されてゆく状況にある。
【００５９】
そのことに鑑み、本管３００内の上水あるいは下水などが通らない上回り個所に、軸中心を水平に向けたダクト３０６を固定し、同ダクト３０６内に矢印方向に内部気体を噴出するファン３０７を内装してある。このファン３０７を運転することで、本管３００やマンホール本体３０１内の有害ガス分を矢印方向に強制的に流し、例えば、人の殆ど通らないところから抜き出すようにする。
抜き出さずに、地中にタンクを埋設し、その内部に溜めるようにしてもよいし、そこで中和処理するようにしてもよい。
【００６０】
前記ダクト３０６は、マンホール本体３０１より少しひき下がったところに配置してあるので、水などが入るおそれが少ない。ダクト３０６の底部には排水口を形成しておくこともある。尚、ファン付ダクト３０６は、マンホール本体３０１に縦置き式に設けてもよい。この場合、ファンモーターへの防水を考慮して、ダクト３０６上側にカバー３０８を備えておいてもよい。また、気体は下向きに排出されるが、本管３００内での流れを規定するため、ダクト３０６の下側に斜板３０９を備えてもよい。
【００６１】
また、仮想線で示すように、ダクト３０６内には吸気パイプ３１０がマンホール蓋３０３の通気孔３０４から導かれるが、同パイプ３１０は、外部からの雨水などがモーターに至らないようにＵ字状部分を備えるものとする。
【００６２】
図４６は、マンホール本体３０１から本管３００への入口付近にゴム製等の遮蔽板３１２を吊り下げ、同遮蔽板３１２は、本管３００内での水の流れは許すが、ガス等の気体は遮蔽するものとする。そして、マンホール本体３０１の胴部には、ファン内装のダクト３０６を備えた排気パイプ３１３を内通状に接続し、同パイプ３１３を通じて前記ガス等の気体を排出するようにする。
尚、マンホール蓋３０３には、活性炭入りのボックス３１４を備え付けてもよい。前記遮蔽板３１２にはフロートを附してもよい。
【００６３】
図４７は、ダクト３０６を備えた排気パイプ３１３を通じて排出される排出先を、人の通らない田圃などにしたもので、同田圃には、活性炭３１６を混ぜた土壌を入れた処理槽３１７が埋設され、同処理槽３１７内には網や多孔板などによる底通気板３１８が横架され、同通気板３１８の底部空間に前記パイプ３１３が連通するようになっている。
【００６４】
排気パイプ３１３は、図４８に示すように、放射状の出口パイプ３１９…を備えてできるだけ排気が分散するようになっている。尚、仮想線のように、排気パイプ３１９を２手等複数分散状に分けて排出するようにしてもよい。また、図４７において、底通気板３１８の処理槽３１７の中央に対応する個所を網目の小さいものとし、その他の個所を網目の大きいものにすれば、処理槽３１７の全体に均一に排気を分散させることができる。
【００６４】
図４９は、処理槽３１７内の底部に連通する排気パイプをａ，ｂ，ｃに分岐させ、中央のパイプｃには流れ込み易いことから流れ抵抗を持たせるためベンド部３２１を形成し、できるだけパイプａおよびｂの方に多く排気が流されるようにしたものである。
【００６５】
【発明の効果】
この発明は以上のように、運搬や設置が簡易に迅速に行えるとともに強度的にも充分なものにした災害安全装置を提供することができる。
また、前記実施形態のように、座高より少し高い程度の低いフレーム体であるので、細いフレーム体で充分な強度を発揮する一方、軽量にすることができるので、分離して搬送・組み立てが容易になる。
【図面の簡単な説明】
【図１】この発明の一実施形態を示すガードフレームの斜視図。
【図２】緩衝材の装着例を示す斜視図。
【図３】横架材の実施形態を示す断面図。
【図４】ガードフレームの他の実施形態を示す斜視図。
【図５】ガードフレームの他の接続例を示す分解図。
【図６】ガードフレームの他の例を示す斜視図。
【図７】ガードフレームの他の実施形態を示す斜視図。
【図８】フレーム体の支持方法の他の例を示す斜視図。
【図９】横架材の他の実施形態を示す断面図。
【図１０】横架材の他の実施形態を示す断面図。
【図１１】フレーム体の接続例を示す断面図。
【図１２】フレーム体の接続例を示す断面図。
【図１３】フレーム体の接続例を示す断面図。
【図１４】横架材の他の構成例を示す断面図。
【図１５】ガードフレームの他の実施形態を示す斜視図。
【図１６】図１５の実施形態の平面図。
【図１７】同例の側面図。
【図１８】同例の正面図。
【図１９】ガードフレームの他の実施形態を示す斜視図。
【図２０】パイプの挿通例の他の実施形態を示す断面図。
【図２１】パイプの挿通例の他の実施形態を示す断面図。
【図２２】パイプの挿通例の他の実施形態を示す断面図。
【図２３】パイプの挿通例の他の実施形態を示す断面図。
【図２４】パイプの挿通例の他の実施形態を示す断面図。
【図２５】図２４の側面図。
【図２６】パイプの挿通例の他の実施形態を示す断面図。
【図２７】ガードフレームの他の実施形態を示す平面図。
【図２８】同例の正面図。
【図２９】パイプ挿通のしかたの他の実施形態を示す正面図。
【図３０】同例の平面図。
【図３１】ベンチについての実施形態を示す斜視図。
【図３２】ガードフレームの他の実施形態を示す斜視図。
【図３３】ガードフレームの他の実施形態を示す斜視図。
【図３４】ガードフレームの他の実施形態を示す斜視図。
【図３５】テントについての実施形態を示す斜視図。
【図３６】ガードフレームを机に支持させた実施形態を示す斜視図。
【図３７】ガードフレームを柱に支持させた実施形態を示す斜視図。
【図３８】ガードフレームの他の実施形態を示す斜視図。
【図３９】リハビリ用にガードフレームを構成した実施形態を示す斜視図。
【図４０】ガードフレームの他の実施形態を示す斜視図。
【図４１】フレーム体の基部の固定構造の他の実施形態を示す断面図。
【図４２】横架材についての他の実施形態を示す斜視図。
【図４３】同例の要部拡大断面図。
【図４４】介護用のガードフレームについての実施形態を示す側面図。
【図４５】マンホール内に発生する硫化水素ガスなどの有害ガスを排除するための実施形態を示す模式断面図。
【図４６】他の実施形態を示す模式断面図。
【図４７】排気ガスの排出方法を示す模式断面図。
【図４８】同排出を分散可能な方式にした実施形態を示す平面図。
【図４９】排出パイプの他の連通方法を示す実施形態の模式図。
【符号の説明】
Ｇ…ガードフレーム  ６，１７，２５，３１，４３，７０，７６，１１０，１４７，１５２，１７２，１７７，１８３，１８８，１９４，１９８，２０１，２０６，２１０…フレーム体。
【図１】
0004029364.tif 000002
【図２】
0004029364.tif 000003
【図３】
0004029364.tif 000004
【図４】
0004029364.tif 000005
【図５】
0004029364.tif 000006
【図６】
0004029364.tif 000007
【図７】
0004029364.tif 000008
【図８】
0004029364.tif 000009
【図９】
0004029364.tif 000010
【図１０】
0004029364.tif 000011
【図１１】
0004029364.tif 000012
【図１２】
0004029364.tif 000013
【図１３】
0004029364.tif 000014
【図１４】
0004029364.tif 000015
【図１５】
0004029364.tif 000016
【図１６】
0004029364.tif 000017
【図１７】
0004029364.tif 000018
【図１８】
0004029364.tif 000019
【図１９】
0004029364.tif 000020
【図２０】
0004029364.tif 000021
【図２１】
0004029364.tif 000022
【図２２】
0004029364.tif 000023
【図２３】
0004029364.tif 000024
【図２４】
0004029364.tif 000025
【図２５】
0004029364.tif 000026
【図２６】
0004029364.tif 000027
【図２７】
0004029364.tif 000028
【図２８】
0004029364.tif 000029
【図２９】
0004029364.tif 000030
【図３０】
0004029364.tif 000031
【図３１】
0004029364.tif 000032
【図３２】
0004029364.tif 000033
【図３３】
0004029364.tif 000034
【図３４】
0004029364.tif 000035
【図３５】
0004029364.tif 000036
【図３６】
0004029364.tif 000037
【図３７】
0004029364.tif 000038
【図３８】
0004029364.tif 000039
【図３９】
0004029364.tif 000040
【図４０】
0004029364.tif 000041
【図４１】
0004029364.tif 000042
【図４２】
0004029364.tif 000043
【図４３】
0004029364.tif 000044
【図４４】
0004029364.tif 000045
【図４５】
0004029364.tif 000046
【図４６】
0004029364.tif 000047
【図４７】
0004029364.tif 000048
【図４８】
0004029364.tif 000049
【図４９】
0004029364.tif 000050